(57)【要約】発電機が発電する際に、又は、電動モータが駆動する際に、半分が熱損する原因を究明し、エネルギーを有効に使えるよう具現することを課題としている。また発電抗力をも無くし、力損の無い電動モータを具現し、出力エネルギーを原子力に匹敵する電磁気力エネルギーとして、エネルギー保存則に縛られている人類の思想を超えることを課題としている。発電機で発電する±一相以上の電気を、配線を使いｎ分割し、分割した分だけ、電磁気力エネルギーをｎ倍化する。発電機は従来の構造規模をほぼそのままで、配線をｎ分割する。電磁気力相互作用によりソレノイドコイル（２）両端電極（Ａ，Ｂ）に交番電流を発生させる発電機の電機子において、コイル中間を切断し、新たな二つの電極（Ｃ，Ｄ）を構成し、この電極間の電力で仕事をさせる単磁極電機子対を具備する。
2015173969.tif 000002
【特許請求の範囲】
【請求項１】
［第一の段階］電気絶縁皮膜した励磁磁鉄に、電気絶縁皮膜した良電導体線をコイルとして巻き、上記良電導体線コイルの一端と他端を電極とするソレノイドコイルを少なくとも一体を構築する。ソレノイドコイルの励磁磁鉄両端に隙間を隔ててソレノイドコイルと磁石を一体と他体として置き、双磁極Ｎ・Ｓを交互に相対移動させ、発生する交番磁界による磁束を、ソレノイドコイル励磁磁鉄内に交互に交番磁束として流させる。この二体間の電磁気力相互作用によりソレノイドコイル両端電極に交番電流を発生させる発電機の電機子において、コイル中間を切断し、新たな二つの電極を構成し、この電極間の電力で仕事をさせる単磁極電機子対。少なくとも一つの電機子コイルが双磁極Ｎ・Ｓに直列で跨る双磁極電機子に対し、Ｎ・Ｓそれぞれの磁極の±２相の４電極端子を具備する、単磁極電機子コイルの対で形成する単磁極電機子対・異相開放回路・発電機。［第二の段階］上記少なくとも一つの単磁極電機子対で構成する電動モータに於いて、固定子と回転子から成る上記二体モータの回転面・円周上に連なる、同相の電機子コイル柱群の電線の結線が同相間並列結線である単磁電機子対電動モータ。及び上記少なくとも一つの単磁極電機子対の同相コイルを並列に結線する単磁極電機子対・同相並列・異相開放回路・発電・駆動・電動モータ。［第三の段階］駆動モータ電機子の同磁極・同磁束の流れる・励磁磁鉄を共有し、発電用コイルを駆動用コイルに重ねて二重に巻き駆動・発電・入力・出力させる方法。及び同じ励磁磁鉄上に重ねて発電用コイルと駆動用コイルを二重に巻いた、二重コイル・単磁電気子対・同相並列・異相開放回路の発電・駆動モータ。［第四の段階］第二段階での二体・発電・駆動モータの一体が電機子で他体が永久磁石である、少なくとも一つの永久磁石の周りにコイルを巻きコイルが第一段階の単磁電機子対・異相開放回路で構成され、永久磁石内・自己誘導発電・電気をモータ外部に取り出す配線機構を具備した、且つ第一段階の単磁電機子対・同相並列・異相開放で構成される、二体・単磁電機子対・同相並列・異相開放回路の発電・駆動・同期モータ。［第五段階］同期モータの二体・単磁電機子対・同相並列・異相開放回路の・発電・駆動モータの永久磁石に代わりに第一段階・鉄心にコイルを巻いた電機子を、誘導発電磁極・電機子とする、二体・単磁電気子対・同相並列・異相開放回路の発電・駆動・誘導モータ。及び第二段階・誘導発電磁極・電機子より誘導発電した電気を、ロータを介して外部に取り出す配線機構を具備した発電・駆動・誘導モータ。［第六段階］誘導モータの二体・単磁電機子対・同相並列・異相開放回路の発電・駆動・誘導モータ誘導電気に拠る磁極の形成の変わりに、コイルの直巻きモータ・電機子に直接駆動電力を入力し、磁極を形成する、単磁電機子対・同相並列・異相開放回路の電機子とする、二体・単磁電機子対・同相並列・異相開放回路の発電・駆動・直巻きモータ。［第七段階］直流ブラシレス電動機・電機子に直流電源よりコントローラを得て回磁界を得、分電をする電機子と友に、新たに電機子中間に新設した単磁電機子対端子に逆方向直流電源をブラシレスで入力する電気回路を具備するブラシレス、単磁電気子対駆動モータ���及び駆動モータ電機子の上に新たに発電用・単磁電気子対のコイルを巻いた発電機端子に直流を出力する整流回路を具備する、単磁電気子対直流・入・出力電源・駆動・発電・モータ。及び制御回路。［第八段階］モータ電機子同相・単位一柱に磁極がＮ，Ｓ二次極で在る、誘導モータ、或いはデジタルモータの一柱電機子に交番電流を送るのに、自己誘導発電を発電電力として外部に取り出し、交番電流は外部よりスイッチ機構を経て回磁界電力を入力する機構の、一単位電機子柱・二Ｎ，Ｓ磁極モータ。及び第三段階の電機子が二重コイルである上記二磁極はつでん・駆動モータ。［第九段階］大口径高速回転・二体・二重コイル・単磁電気子対・同相並列・異相開放回路・発電・駆動・電動モータは、回転面・同円周上での多相電機子コイル柱群において、同相を隣り合わせ、磁極数を最小とする高速回転・発電・駆動モータ。［第十段階］上記単磁電気子対二重コイルモータに於いて、発電用電機子コイルより発電した電気の一部を、発電した電気の位相が駆動モータの回磁界を発生する９０度ずらした位相相に合わせ、駆動用電機子に結線する、自転・発電・駆動モータ。及び一段目の駆動・発電モータの発電電力を二段目の駆動電機子に供給する、発電駆動多段モータ。
【発明の詳細な説明】
【技術分野】
【０００１】［発明の詳細な説明］  ［発明の属する技術分野］【０００２】電磁気力相互作用による重力場の系のエネルギー保存則を超えるモータ【０００３】  ［従来からの物理思想］【０００４】自然界には四つの力の系が在る▲１▼重力▲２▼弱い力▲３▼電磁気力▲４▼核力【０００５】これら四つの力の系はそれぞれ閉じていて相互作用をしない。【０００６】閉じた系の一つ、重力場内の熱力学であるエネルギー保存則が在る。それは、入力したエネルギーにより出力したエネルギーの総数は同じ。【０００７】我々人類は重力場の系で生きている生物であると考えられている。この人間の考え方に拘束される自然法によるエネルギー保存則が全てと考えられている。【０００８】従来のエネルギー保存則は閉じた系内の一種である、重力場の系のエネルギー保存則であり、自然現象の四つの系を統一説明する自然法則ではない。【０００９】自然現象は自然界に四つの力が存在していることを示す。人類はこれを統一的に述べる法と数理を知らない。重力場内に閉じた思想で、重力場内の力の総数を１とし、２次間数の相対論でこの力を述べ、総数と逆数の、逆数を重力１とする、基数１をすり替える数理・便法で自然現象を法化しようとする無理がある。【００１０】本発明の物理現象は重力場内の自然現象を超えて、電磁気力場の系のエネルギーを重力と電磁気力の相互作用により重力場に現出する自然現象である。したがって、重力場の閉じた系を超える、宇宙の系の新しい自然法則に従うものである。【００１１】  ［新しい自然法則・統一理論］物質は、太陽エネルギーの爆発で作られているから、太陽エネルギーを保存している。媒介する素粒子は光子物質は銀河の爆発で作られているから、銀河の爆発エネルギーを保存している。媒介する素粒子は電子。物質は泡宇宙の爆発で出来ているから、泡宇宙の爆発エネルギーを保存している。媒介する素粒子は陽子。物質は宇宙の爆発で出来ているから、宇宙の爆発エネルギーを保存している。媒介する素粒子は中性子。地球上の全ての物質は等しく、四つの爆発空間の系全てを順番に経験し、四つの爆発エネルギーを保存し、今ここに存在している。これが重力と四つの力を統一する根拠である。【００１２】宇宙は爆発し、寸分違わぬ、等しい・素粒子を生でいる。【００１３】素粒子の種類は一つであり、素粒子は爆発原点極を中心に±Ｘ±Ｙ±Ｚ八立方体の対角線四本を中心軸とした±四つの回転軸と±方向を持つ。【００１４】四つの宇宙次元空間の爆発エネルギーを、四つの力として±四つの回転軸を中心に±四つの回転数として保存している。【００１５】回転する曲率と直線の統一、宇宙空間の曲率は、素粒子の曲率だけ小さく現れる【００１６】四つの力の相互作用は、爆発と邂逅の方向が±する対の素粒子が、同時に±四つの回転軸方向で±四つの相互作用をする。【００１７】±四つの力の相互作用±電磁気力を具現する装置は、±四つの力を同時に作用させることが出来る発電・駆動モータ・対である。【００１８】  ［入力より出力が多い数理の思想：永久機関の根拠］【００１９】従来のモータのエネルギー計算は回転とトルクの積の２次関数である。他方物質の持つ従来のエネルギーはガリレオの落体のエネルギーで在る速度＝回転数��二乗と重さであるトルクの積の３次関数である。回転数という速度が発生すれば、エネルギーは回転速度に比例して多くなる。従来モータでは、駆動入力に対し、自己誘導発電抗力が拮抗すると、回転はそれ以上上がらない。空間が閉じ、重力場のエネルギー保存則に拘束される由縁である。力損、熱損の無い高速回転モータの演繹法による本発明はこれをはるかに超え原子力発電に迫るものである。【００２０】  ［従来の技術を超える新しい物理法則・と数理の提示時期］【００２１】１９８６年日本物理学会誌パリテイに、日本物理学会理事・パリテイ編集長・大槻義彦が整数論による宇宙の爆発と邂逅の原理の紹介記事、『逆転する五回転対称準結晶、アルミニュウム・マンガン合金モデル』と著者：近藤由次の名を載せる。その後、整数論による物理法則は日本の物理学会の潮流となり、この整数論による三人のノーベル物理学受賞者を輩出したのは皆さんのご存知のとおりである。この時の論文は、詩集デアローグの編集長園下勘治が「この論文は日本の一級の詩人が書く詩よりも美しい」として詩集デアローグに命を賭けて掲載したのです。【００２２】従来の物理学に於いては、四つ力を持つ素粒子が、四つ在ると認識されている。これら自然界に存在する四つの力・重力・弱い力・電磁気力・原子力を、重力場の力に換算する説明理論は相対論が主流である。これら四つの力は閉じていて相互作用をしないと言うゲージ理論が在る。四つの力を重力の数理で統一する法則は無い。このため、数理は便法としての、微積分を使う二次関数の相対論を利用するため基数１が、ゼロ数から光速度数１まで摩り替える便法を使用している。この基数１が定まらない宇宙を現す数理そのものは、重力場のレンズを通してみる帰納法のため、空間がゆがみ限界が在る。【００２３】宇宙の法則が解からないための弊害として、闇雲に原子力を利用し、アインシュタインの指導の元、原子爆弾による日本人への  大量虐殺がされているのみならず、日本は、地震の巣の上に５４機もの原子力発電所を作り、１万５千発の原子爆弾材を持つという愚行を行っているのである。原子の枠から飛び出た、傍若無人な自由電子の放射能が世界に溢れ、人類自滅は必須の状態である。日本人の人類に対する責任は重い。原子力に加えて、弱い力の石化燃料をエネルギー源として利用するのも、地球温暖化となり、南極やその他の大陸の氷床がとけ、海面が６５メータ上昇することになる。このためほとんどの文明は水没する事となる。【００２４】  ［物理法則は神の存在を合理的に表す］【００２５】神を理解せず、神の領域に土足で踏み込むごとき、近視眼の・ガリレオの法則を盗むという・幼稚な相対性理論に因る無責任な神を侮辱する核力の扱いを、先頭になり勧めたアインシュタインとエジプトの四神を陵辱するユダヤ人の人類に対する罪は重い。神を知らない無知、特殊相対論としてガリレオの落体の法則を盗み、原子爆弾の製造に先頭に立ち勧め、人類の自滅を招く、アインシュタインとユダヤ人の罪は重い。原子爆弾により大量殺戮された日本が、植民地主義・戦勝国の利益のためにする原発で、またもやいたるところで放射能が降り積もり、自滅にもっとも近い標本的立場としてある。これは日本人の権力に迎合する欠点��日和見、無気力も大きな原因で在る。一番は組織の中に埋没する「赤信号みんなで渡れば怖くない」とする神輿を担ぐ官僚と私欲でぶら下がる、神を侮辱する悪魔、殺人者の心は日本を、世界をだめにする。未来の人々に希望を託し、知覧より命を賭して、飛び立っていった若い飛行機乗りの先達の心、思いを寄せて、人を活かすエネルギー革命を推進しようと孤独な戦いを日夜したのである。優れた神輿の担ぎ手の上に載る采配を振るう人・天皇の四神が、頽廃し八百万の自然偶像崇拝宗教になっており、スフインクスの体がライオンであり、頭が羊である、人肉食いのクロマニヨン人と草食の耕作ネアンデルタール人の混血に因る和を悲願の基とする、種馬エジプト王朝も、羊の頭が、神を侮蔑する独りよがりな一神教、人の頭に据え代わり、自滅しようとしている。演繹法と帰納法の邂逅による、発電・駆動モータはこれも救い、和し、世界を讃える。【００２６】核力に近いエネルギーを持つ電磁気力も、３５０年も前の重力場内の系で在る熱エネルギーの古い法則、エネルギー保存則に縛られ、重力場の枠を一歩も出られない。宇宙の自然法則をわからない無知が世界を拘束している。重力場の狭い系でのエネルギー保存則を超えるものは、東京都工業試験所でも成績証明書を発行しない。経済産業省も特許にしない。官僚の思想は、狭いエネルギー保存則で閉じている。はるかに重力場のエネルギー保存則を超える原子力を扱う官僚の自己矛盾である。権力を扱う者には謙虚さが無い。責任が無い。人としての心が無い。神を陵辱している。神輿を担ぐ責任が在る。人殺しは神の領域を侵すものである。【００２７】私の１００を越えるモータの発明は、公開となり、世界に情報が流れ、世界のモータの技術は飛躍的に高まっている。中国共産党幹部にして顔面半痣の不動産王乎が中国万博の折に半田の拙宅に、黒服のＳＰ１０名ほど引きつれって突然技術を請うために尋ねてきた。日本人は詐欺ねたぐらいにしか利用しないが、彼はモータ・メーカーＹＵＮＥＥＣを中国で立ち上げ、世界制覇を睨んでいる。【００２８】狭い重力場に縛られる所謂エネルギー保存則。この所謂エネルギー保存則に縛られ、永久モータの特許を認めないのは、みすみす日本の企業が世界で活躍するチャンスを逃すこととなる。日本人が世界に貢献する責任を逃がすことになる。【００２９】従来の電磁気力の具現は発電と駆動が同時に背中合わせで発生し、発電をすれば発電抗力が発生し、駆動すればモータ内部で自己誘導発電し、発電抗力が発生する。フレミングの発電と駆動の左右の手の法則により、電磁気力三方向のうち、二方向が順方向とすると他方行が逆になり、打ち消しあう。この打消しにより、系である重力場の空間はエネルギー保存則の状態として閉じている。ゲージ理論を越えられない由縁である。この制御現象も神の試練の為せる業で在る。【００３０】従来の発電駆動方法の第１は  回転子と固定子の二体を、一体をＮ・Ｓ二極の磁石とし、他体を励磁磁鉄に巻かれた良電導体コイルで形成する電機子とし、この二体の相対移動により、電機子コイルに交番発電させる発電方法及び発電機である。また駆動モータは上記二体モータ発電機の一体である電機子に交番電流を外部から印加し、発生する磁力により、他体のＮ・Ｓ二極の磁石に駆動力を与えている。この結果駆動モータの電機子コイルに自己誘導発電し発生した電気により、二次的に電機子が磁石となる。これは発電機においては発電抗力となり、駆動モータにおいては、回転をあげると共にトルクを減じる力損の原因となっている。【００３１】従来の発電駆動の第２は、同相多柱の発電駆動方の電機子コイル磁極Ｎ，Ｓ二極で発生した電圧のプラスとマイナスの互いの逆電圧相の電流が短絡し流れることにより、直列・閉鎖回路内で最大の電磁気力を浪費、発熱し熱損・力損が発生する。これら電磁気力の損により、発電及び駆動の入力エネルギーの大半が失われる。従来の発電機発電抗力に対する対策は、発電抗力を発電時の残留磁気と解釈し、電機子の間に別の駆動用電機子を具備し発電抗力を打ち消そうとする補巻き電機子コイルを具備したものなどであるが、発電促進効果はあまり期待されない。熱損などは、大型発電機モータコイルが熱損で焼けるために、良伝導体線をパイプ状にして中に冷却水を通すなどして熱でコイルが焼ききれるのを防いでいる。発熱エネルギー損の基本的元で在る発熱の原因究明はなされていない。力率改善と言う概念は在る。エネルギー保存則が敗れない由縁である。【００３２】従来の発電機、駆動方法の第３はモータの電機子コイルが一端を入・出力端子とし他端をスター回路かデルター回路として閉鎖回を形成し直結している。このため閉鎖回路内で違う相の電気同士が短絡状態となり、入力エネルギーの大半が熱損となる。また発生する磁束による磁気が第１の抗力ともなり、力損となる。【００３３】従来の発電駆動方法の第４は、永久磁石を使用する同期モータにおいて、一体を磁石とし、他体の電機子の交番磁束により、磁石内に渦電流が発生し、発熱損、力損の原因と成っている。【００３４】従来の発電駆動方法の第５は一体の電機子コイルに電流を流し、回磁界を構成し他体を電機子閉鎖回路の籠として、回転差速による籠に誘導電力、誘導磁力を発生させて、駆動させている。この閉鎖回路の籠内で発生する電力は、短絡熱損となっている誘導モータである。【００３５】電動機の発電と駆動の電磁気力が背中合わせに同時に作用する二面性が在る。これは電磁気力の三方向と電気入出力方向を加えた四方向が、発電と駆動の同時発生では、少なくとも一つの方向が互いを打ち消す方向に在る。これが入力より出力が超えない、エネルギー保存則の立脚する根拠であり、また四つの力が相互作用しなく、閉じているというゲージ理論の根拠でも在る。この誤りを正す。【００３６】一体と他体からなるモータにおいて、一体の電機子コイル１／２に電気を入力し、磁界を作り、他体を励磁誘導し、残りの１／２の電機子コイルにコンデンサーで磁界を遅らせる電流を流し、回転磁界を作り回転させる誘導モータの電機子コイルは重ね巻きで在る。同相間の結線は直列結線である。他相間の結線もスター回路かデルター回路の閉鎖回路で在る。最近の日立誘導モータでは電機子多柱同相回路が重ね巻きの直列結線で、異相間の閉鎖回路は、１００Ｖ単相は開放回路としたモータも在るが、モータ外部での指定する所謂二相２００Ｖ結線の配線図は、直列・閉鎖回路結線方法となっており開方回路と明示するのは詐称で在る。詐称はモータ内のコンデンサーを使用するコイル重ね巻きが閉鎖回路であり、回転子籠の配線も閉鎖回路で有る。これにより倍の自己誘導発電による励磁損・熱損・力損が発生し熱を逃すファンが必要である。エネルギー効率も入力の三分の二以上が熱損で損なわれる。単磁電機子対の開放回路思想は日立誘導モータには無い。電力供給側の供給電力が１００Ｖ単相で供給されているので、解放回路のごとく見えるが二つのコイルが直列結線され、閉鎖回路であり自己誘導発電の逆相の電力が他者で消費されなければ、この１００Ｖ単相コンデンサーモータは駆動しないという独立性の無いモータである。電力供給側が二相とする２００Ｖ電源は二相ではなく正しくない。正しくは±一相である。【００３７】従来の第五・八段階、ダイソン社のデジタルモータと呼ばれるモータが在る。之は誘導モータの籠の変わりに、永久磁石を使用するものであり、同じく永久磁石を使用する同期モータとの違いは、ａ）同期モータは単磁電機子柱一相に対し、一磁極である。誘導モータ及びデジタルモータは二磁極で在る。したがって、回転も同期モータの周波数回転に対し、デジタルモータは半分。誘導モータは磁極を誘導形成する差速分だけ、デジタルモータより遅い。ｂ）ブラシレス同期モータの電機子柱１柱に電気を入力する方法は磁極位置センサーにより通電するスイッチ機構で在る。他方、誘導モータ。デジタルモータは電機子２柱間を直列単線で結線し、２個コイル柱中間より、Ｔ字型に配線を出し、コンデンサーに繋ぎ、コンデンサー経由で交互に配電するものである。したがって、中間がデジルタ回路として直列にもつながっており、このため自己誘導発電電力との短絡による熱損・力損は激しい。多柱一相二磁極としては東芝の全自動洗濯機が在る。【００３８】発電機において、電機子コイル柱数が少ないものは力率が良いと認識されている。しかし、閉鎖回路と複数の柱を直列結線、或いは単線で重ね巻きしている電機子。には単磁電機子対の思想は無い。整流機構については、双磁極電機子入出力端子においてのみ整流されている【００３９】電機子のコイルを極低温に冷却し、電気抵抗をなくした超伝導を利用し、磁極を構成するリニアモータに於いても、電機子は双磁電機子で有る。超伝導電機子も双磁極電機子であり、双磁極電機子直列通電による短絡ショートによる熱損・力損は避けられない。超伝導の電機抵抗ゼロによる電力消費ゼロは自己誘導発電により、従来のリニアモータにおいては絵に描いたもちである。実際は誘導電力により磁極を作る極低温コイルにプラスマイナスの自己誘導発電がおき、短絡ショウトし発熱するのである。このために、極低温冷却装置を冷却するための厖大な電力を必要としている。【００４０】極低温超伝導リニアモータに於いて、極低温電機子を構成するために、重量の重い冷却装置と電力が必要である。Ｎ・Ｓ双磁極間に閉鎖コイルが巻かれ、通電により磁石を構成するとして有るが、現実は二律背反し、コイルに自己誘導発電がおき、内部でプラスマイナスの電気が短絡し、発熱する。【００４１】リニアモータを磁気浮上させるのに、カーブや上下の移動にも困難が見られる。【００４２】従来の第五方法である誘導モータ。二体モータが電機子で構成さ���るモータで一体の電機子が籠である誘導モータは、他体への入力回転周波数に対し、磁力を発生する分だけ、電力を消耗し、回転数周波数も下がり、発熱・熱損する。【００４３】従来のモータの第六の、二体モータの二体の両電機子に電力を入力する直巻き駆動モータは、駆動電力と自己誘導発電により発生する電気とモータ電機子コイル内部でショートし発熱しトルクも下がる。また固定子と回転子間の配線のブラシと整流子の間での放電する火花が激しく、ブラシの発熱・磨耗の損傷が激しい。【００４４】従来のモータの第七、駆動モータ内の自己誘導発電を回生する従来の技術は駆動時の力損には対応していない。ブレーキの時に発電に切り替えるのであるから、巡航の時の回生は無い。株式会社ミツバ・ＣＱ出版のソーラカー用ブラシレスモータなども制御回路で、トランジェスターの寄生・ダイオウドで全波整流とする方法も在るが、いずれも入力電圧より出力電圧が低い電気は回生しない。またコイル内での誘導発電は交流で在る。このために、寄生・ダイオウドでの回生電気は、プラス電圧の一方向  のみである。マイナス方向の電気は回生されずアースされ、プラス方向は駆動用電力と短絡ショートし熱損が起きる。回生電力は極小といえる。発電抗力に対しては手付かずで在る。【００４５】従来のモータの第七、トランジェスターによるブラシレス制御回路も、直流電源で、入力時の閉鎖回路発熱は無いが、自己誘導発電は交流発電のためコイルの結線がスター回路の閉鎖回路として、コイル内部で±短絡し発熱損と力損が在る。【００４６】従来のモータの第四、同期モータなどの永久磁石内で発生する、駆動モータ電機子と同規模の発電・渦電流の自己誘導発電が認識されていない。【００４７】従来の第六段階、永久磁石を使用しない、直巻きモータは回転子も固定子も、単線直列回路で形成されている。固定子が直列重ね巻きであり、整流子・或いはロータを経て、回転子も直列閉鎖回路結線である。之による熱損、力損が激しい。【００４８】従来の第七段階、単磁電機子対電動機のブラシレス直流回路が無い。単磁電機子対発電機の整流回路が無い。【００４９】従来のモータの第八段階、一柱二磁極の誘導・コンデンサーモータ、或いはデジタルモータの誘導発電の一部を駆動に使い、大半はコイル内短絡発熱の大量の熱損が発生する。入力の七割もの自己誘導発電の、熱損に対する有効利用が無い。【００５０】従来のモータの第九・十、原子力に匹敵するエネルギーによる発電機は無い。【００５１】
【発明の概要】
【発明が解決しようとする課題】
【００５２】本発明が解決しようとする基本的な課題は、第一段階として、重力場の系内での狭い・古いエネルギー保存則に拘束され、重力、弱い力、電磁気力、核力間の相互作用をする法則が人類は解からないから、人間が定める、自然法に反する、特許にしないと言う、先の見えない問題を現す。第二段階として、新しい真理による法を提示し、神と物質が科学で在ることを表す。第三段階として、日本人が世界の指導者として導き責務を果たす基本が永久モータを特許にすることであり課題で在る。これを解決しなくては、日本人が世界の指導者の責務を果たせない。【００５３】本発明は、重力場の基数１を総数とする、２次間数で在る相対論とする従来からの帰納法としての経験主義的手探りでの電磁気力の研究開発を、近視眼的方法とする。この基数１が定まらなく、直線と曲線の統一もされてない、いい加減な、あやふやな相対論を基にする考え方では、四つの力を統一する物成物理具現は為され得ない。絶対数で有る整数論の法則を基とする演繹法による宇宙の爆発の法則数理と、宇宙の邂逅の法則で有る曲率と直線の数学上の統一法則・古代ギリシャで出された幾何学上の問題・円積・角の三等分・倍積の三大不能問題の解決を経て、これに由るなりわいである邂逅の原理を実証する具現的装置として、本発明のモータを提供することを最大の課題としている。【００５４】本発明は、従来において、原子力に近いエネルギーを持つ電磁気力を、自在に取り出すことが出来ない。このゲージ理論により四つの力間で相互作用しない、閉じた法則であるとする思想を改めて、四つの力が相互作用し、重力から核力にいたる自在なエネルギーを取り出すことが出来る実証装置を提供することに、総合的な課題が在る。【００５５】本発明が  解決しようとする第一の課題は、従来のスター回路やデルター回路の電動モータで発電及び駆動をすると、少なくとも半分が熱となり、熱損となる。また多相の回路の閉鎖回路により多相間で電力が熱浪費され、熱損となると友に、発生する磁束により発電抗力となり、力を浪費し、力損となる。これにより駆動力自体も相殺しトルク減が発生する。熱損・力損をなくす常温超伝導のモータ構造を提供することを第一の課題としている。【００５６】本発明が解決しようとする第二の課題は、同相他柱間で電磁誘導発生する電力・磁力の抗力となる原因を明らかにし、発電抗力及び駆動抗力に因る熱損・力損をなくす常温超伝導構造を提供することを第二の課題としている。【００５７】本発明が解決しようとする第三課題は、熱損・力損を総合的に解決することを第三の課題としている。駆動電力を投入し、モータが回転すると自己誘導発電し、短絡ショーとし、熱損・力損が発生する。熱損・力損をなくし、総合的電力を、有効利用することを第三の課題としている。【００５８】同期モータの永久磁石内いで発生する、電流と磁束による、熱損力損がある。これを解決し、有効利用することが最大の課題である総じて、発電と駆動が同時に電動機内で発生し、フレミングの右手の法則と左手の法則、入力と出力プラスマイナス次元と併せ四次元方向が同時に発生作用し、電磁気力が、発電と駆動と同じ方向が２方向あれば打ち消しあう方向があり、電、磁、気、力、四つの���が閉じているのを、ほぐし解放する思想と装置を提供することを最大の課題としている。【００５９】回転子と固定子からなる断面形状が円である電動モータの、円を解放し平行線上に固定子と移動体の二体を構築する、リニアモータに於いて。駆動すると、移動体の磁極により、固定子上に並べられ固定された電機子に自己誘導発電が発生する。この発電により抗力が発生する。移動体の進行速度が速くなるにつれ、抗力のエネルギーも増大する。抗力と風損が推力と拮抗する時スピードが限界となる。この抗力をなくすことが課題である。【００６０】リニアモータの電機子磁石を、極低温に依る電気抵抗ゼロとする超伝導による電流により磁力を発生させる、電機子に於いて、固定子の二次的に発生する自己誘導発電による磁力により、超伝導コイルに自己誘導発電させ、この閉鎖回路に自己誘導発電した電気がコイル内で短絡し発熱する。同時に抗力が発生する。このために冷却する厖大な電力と、重い冷却装置が必要である。これを無くすと友に、自己誘導発電する電力を有効利用するのが課題で有る。【００６１】リニアモータ磁気浮上における、高さに限界があり、軌道曲線にも  限界があり、坂を上下するにも限界が有る。これらを解決するのも課題である。【００６２】駆動モータコイル内で発生する、自己誘導発電による発電抗力をなくしつつ、発生する電気を発電電力としてモータ外部に１００％取り出すことを第三の課題としている。【００６３】同期モータ駆動時に永久磁石内に発生する渦電流に因る磁気抗力をなくし、発電電力として、モータ外部に取り出すことを第四の課題としている。【００６４】第五の課題は永久磁石をなくす、誘導モータの回転子籠内で発生する熱損をなくし、発生する電力を取り出すことを、第五の課題としている。【００６５】第六の課題は、二体モータが二体とも電機子で構成される直巻き駆動モータの熱損と力損をなくす方法を課題としている。【００６６】第七の課題は単磁電気子対のモータのブラシレス電気回路と二重コイル電機子の整流回路を構築することを課題としている。【００６７】第八の課題は電機子コイル一柱に対し、二磁極で在る誘導モータ・コンデンサーモータ・デジタルモータの自己誘導発電電気を外部に有効利用し熱損・力損を無くすことを課題としている。【００６８】第九の課題は大口径多電機子柱のモータ、同相多柱になると回転数が落ちる。之を解決することを課題としている。【００６９】第十の課題、より大きなブラシレスモータの制御に制御用トランジェスターが大きくなり、トランジェスターでの熱損が増す。これを小さな制御装置で制御するのを課題としている。また原子力に匹敵する電磁気力エネルギーを取り出すことを課題としている。【００７０】
【課題を解決するための手段】
【００７１】本発明の課題を解決するための手段である総合的思想は、相対論と言うあやふやな見せ掛けの理論ではなく、理路整然とした整数論による爆発の原理を基に考察する事であり、曲率と直線の統一の数論を基にする物性物理への応用が思想の手段で在るである。爆発の原理を具体的に述べると、宇宙の爆発により生成される素粒子は、光子なら光子の系で、寸分たがわず等しく分裂しているとすることが第１の素粒子に対する認識による根拠である。『虚空に浮かぶ  在るは  有るとも言え  無いとも言え  意味を成さない。等しく分裂し、初めて  他を見て  我を知る。我は宇宙と等価なり』これは宇宙で有る神の意志であり、人間に対して呼びかける神の声です。人間はこれに答えることの出来る唯一の動物で在る。一つの系の分裂は、縦、横、高さ、依ってたつ、土台である±０次元と、四つの方向に等しく分裂し、分裂した物質が邂逅する五つ目の次元と、この一巡する基礎空間の５次元の方向で物質は出来ている。数は分裂で出来るのですから数の始ま里は次元です。全宇宙の最初の爆発・一つ目の分裂の力の基は基数１で在る０次元の±重力である、媒介する素粒子は中性子です。二つ目の力の基で有る１次元は泡宇宙の爆発の次元である±弱い力です。媒介する素粒子は、陽子です。三つ目の力の基で有る２次元は銀河の爆発である±電磁気力である。媒介する素粒子は電子です。四つ目の３次元の力の基は太陽の爆発である±核力です。媒介する素粒子は光子で。ここで注意しなければならないのは、これらの素粒子は同じ一つの物体です。考え方として素粒子は※縦、横、高さの三次元方向と、三次元方向と同じ角度を成す総合方向の四つの方向をそれぞれの素粒子の表現次元として持ち、四つの次元で他と相互作用をする。※正確にはプラスマイナス三次元である八像限のプラスマイナス三次元方向と同じ角度を為す四つの総合方向の四つの回転軸での相互作用。分裂の次元を等しく現すには、最初の次元は、±１の０次元。次の１次元は±１の二乗の４です。３番目の２次元は２の３乗の８ではなく、等しい分裂は、全体の二乗ですから、２の２乗の２乗の４乗である１６となります。四番目の３次元は２に２乗の２乗の４乗の２乗ですから１６乗となります。五番目の邂逅の次元は１６乗の２乗として２５６乗です。これが等しく分裂した素粒子としての核力の重力に対する爆発次元回転数値です。四つの力をそれぞれ正確に表す便法である数式はそれぞれ有るが、統一し四つの力が相互作用するする神の唯一の数理は従来には無い。神の数理は《｛〈〔（±）±〕±〉±｝±》【００７２】では曲率と直線の統一は、古代ギリシャ時代に出された、コンパスと定規で作図する、幾何学上の問題、角度の三等分、円の面積を二倍にする、体積を二倍にする、これら三つの問題が解けない問題として残っていました。直線と曲率の問題としては違うように見える、体積を２倍にする問題は、３次元で在る三回掛けると２となる、を扱うことにより円と直線の問題に帰結することを三角関数で発見し、この倍積問題を曲率と直線の解法として解いた。この倍積問題の解法が四つの力の統一の数理であり、この幾何学上の解法が電磁気力の四つの力の相互作用する統一方法であることを発見し、この解法が元で本発明は開発されている。曲率においては、時計で説明すると、円は１２の時間と１２の間が有る。直線は１２の数はあれど、１２の間がない。０と１との間がない。直線で思考する人間の自然観察による表現方法は、必ず基数１が不足するあいまいな思考方法である。回転する０次元の基数１が宇宙の自然界においては絶対基数１である。【００７３】本発明の第一の課題である熱損を解決する手段は、電力消費を１とすると、半分が発熱して逃げる原因を明らかにすることであり、その後これを解決する装置を電機子コイル巻き線構造、配線方法及び装置として提供することにある。【００７４】第一の課題である位相の違う、他相間での相互作用によるエネルギー損失、発電抗力、および熱損をなくすための手段としては、スター回路、或いはデルター回路としての、アースとして閉鎖している結線を解放し、新たな逆相の電極を創設する単磁極電機子対の結線とすることを手段としている。【００７５】  第二の課題である電機子同相他柱間での熱損、力損を解決する手段は、同相他柱間の結線が直列結線により、コイル内部で短絡発熱するのを、並列結線とすることにより、熱損と力損をなくす手段とする。【００７６】第三の課題である駆動時誘導発電する電力を取り出す手段は、同相間での結線と整流配線手段で熱損と力損が発生するのを無くし、物質が元々持っている原子力に近いエネルギーである電磁気力を取り出す方法を阻害するこれらを排除するのを単磁電気子対で且つ二重コイル手段としている。発電時発生する抗力を無くすと友に、位相を同じくする複数の単磁電極子コイルが単線で直列に結線されているため、結線内で発熱消費しているのを発見し、これを解放し、新たな電極とすることを手段としこれにより熱損を無くす手段としている。且つ並列結線により発生する磁束による磁気抗力が、単磁電機子対間に発生した電気に仕事をさせることにより磁束が無くなり、発電抗力も無くなることを発見し、これにより、入力を消費する抗力によるエネルギー、力損をなくすることが可能となった。熱損のエネルギー損も無くすための第三の課題を解決する手段は、同相の単磁極電機子を、並列に繋ぐ手段として、単磁極の電極に、整流器を繋ぎ整流し、その後に、直列、或いは並列に繋ぐことを解決手段とする。並列については整流子を必要とはしないで、結線しても効果は変わらない。その上で、二体モータ回転差速によりにより駆動モータ電気回路に発生する、自己誘導発電による熱損力損をなくす方法手段は、駆動回路コイルの磁束を同じくするように、発電用コイルを二重に巻き、駆動電気回路と別の発電回路とすることを第三の課題としている。【００７７】固定子と並行する移動子の二体からなるリニアモータにおいて、二体の電磁総互作用により、電機子内での自己誘導発電により発生する磁気抗力をなくす課題を示す。固定子である、励磁磁鉄に巻かれた双磁極コイル上を隙間を隔てて磁石が相対移動すると、固定子双磁極コイルに誘導起電力が発生すると同時に、発電抗力が発生する。この抗力を無くすには、双磁極電機子を短磁電機子対とすることが課題である。【００７８】リニアモータ極低温超伝導装置の厖大な冷却装置と消費電力を無くし、自己誘導発電のエネルギーを有効活用す���手段は、極低温装置内の双磁極電機子を、単磁極電気子対とすることで、誘導起電力による発熱を防ぐと友に、発電抗力もなくす課題とする。【００７９】リニアモータがカーブを切たり、登り下りする勾配を移動することが出来ない。気課題を解決する手段は、カーブを切る場合は、移動体の上下で電磁力作用させ、上下勾配を移動するには、移動体の横の面の左右で電磁気力相互作用させることを課題とする。【００８０】第三の課題である自己誘導発電により、駆動モータ電機子コイル内で発生する発電抗力をなくし、電気を１００％取り出す方法手段は、駆動モータ電機子の、励磁磁鉄を共有し発電用電機子コイルを駆動用コイル重ねて二重に巻き、このコイルから発電電力を１００％取り出すことを解決手段とする。【００８１】第四の課題である同期モータの永久磁石が相手の電機子による磁力で磁束が発生し渦電流が発生し発熱し、熱損・力損となるのを無くす手段は。永久磁石にコイルを巻き、発生する電力を回転子であればロータなどを介しモータ外部に発電電力として取り出すことを第四の課題を解決する手段とする。【００８２】第五の課題である誘導モータの籠内で発生する電流を外部に取り出す課題を解決する手段は、閉鎖回路の籠を開放回路のコイルとし。コイル端に発生する電気を、ロータを介して外部に取り出すことを第五の課題を解決する手段とする。【００８３】第六の課題である、二体モータが二体とも電機子で構成される、回転数が上がるが熱損・力損が大きい直巻きモータに於いて、二体の電機子コイル配線が、回転子はブラシを経由して、直列、閉鎖回路に配線して在る。このため熱損・力損が大きい。この駆動用コイルに発電用コイルを二重に巻き、発生する自己誘導発電を外部に、取り出すことを第一の手段とする。同相並列・異相開放回路とすることを第六の手段とする。【００８４】第七の課題で在る、単磁電気子対のブラシレス駆動モータに置いて、コイル一端は従来の制御回路で、他端の入力は、電極が逆になるためスイッチ案内信号が同じでは機能しない。之を逆回転方向のスイッチ制御機能とすることで解決の手段とする。又二重コイル電機子モータの自己誘導発電電力を外部に電力を取り出す手段は、直流に於いてはコイル一端と他端に、電池電圧に同調制御するレギュレター回路を具備することを手段とする。【００８５】第八の課題を解決する手段は、課題で在る、誘導モータ、誘導コンデンサーモータ、デジタルモータの、電機子一柱に二磁モータに回磁界を得るために、自己誘導発電の一部を使用する、このために入力電源と短絡、発熱、熱損、力損が発生する。之を解決する手段は、自己誘導発電は二重コイル電機子から、外部に取り出し、有効利用し、回磁界を得る入力電流は、ブラシレス制御回路とすることで解決の手段とする。【００８６】第九の課題を解決する手段は、モータが大口径になると、電機子柱、と磁極数が増え、それと比例し回転数が下がる、之を解決する手段は、回転軸方向に多段とし、多段の電気子間に於いて、回転軸方向の同相同磁極間のコイル結線を直列とし、電圧を上げる。之を解決の１手段とする。解決の第二手段は、回転平面で隣り合う多柱を並列結線とし、磁極数を減らすことを手段とする。【００８７】第十の���題を解決する手段は、原子力に匹敵する発電機を得る方法として、より大きなモータを駆動・発電、制御させる多連モータとすることを解決する手段とする。又駆動モータ駆動軸に発電機装着する同軸多段モータとれば、倍率も倍加する。１ＫＷ駆動モータをスターターに六段で１００万倍の１００万ＫＷ原子力発電の発電機は可能であり、原子発電も超えられる。【００８８】
【発明を実施するための形態】
【００８９】本発明の開示である発明の第一の実施の形態は、第一に電力消費すると半分が発熱して逃げる熱損の原因を明らかにすることである。その原因は  交流発電の電気の相が異なる二相の電気配線内で、或いは±同相間で  互いに電圧の向きが違う電気が閉鎖回路として短絡し、一相分の電気が発熱浪費するのである。この発熱浪費は、熱力学で言う半分は熱で逃げるのが法則とされているが、法則ではなくて単なる構造上の問題である。すべてのエネルギーは熱に換わると言う熱力学は破れるので在る。そもそも熱が何で在るかわかっていない。本発明はこの閉鎖回路による短絡発熱浪費の現象を踏まえ、入力と出力を二相間で行う閉鎖回路を解放し、一方の相も他の相も、それぞれ別入力電源とし、二回線の電力消費とし、それぞれの相の電気出口を大地とするアース線とで±二相の逆相を含む４相の電気配線とする。これはＮ・Ｓ磁気単極電機子対と呼べる。これにより従来の発電機で在るＮ・Ｓ磁気双極電機子の一相と他相が短絡発熱浪費による発生電力の半分のみ有効に使うことしか出来ないものを、倍化して有効消費に電力を変えることが出来る。これにより、熱エネルギー保存の法則は、破れる崖淵に立つので有る。
【００９０】本発明の開示である第二の実施の形態は、第一の実施の形態により、モータの位相の違う電機子の結線が、スター回路かデルター回路で結線しているために、異相関で相互作用し、二相の電気が一相分、発熱浪費する、且つ発電抗力の基となる誘導起電力による磁束の流れにより発生する磁気が発電抗力の元と成る。これを解決する実施方法は閉鎖回路をなくし解放回路とすることにより第一の抗力をなくすことと友に。より詳しくは、Ｎ・Ｓ磁気単極電機子対群を使い、それぞれの同相単磁電機子で発電した電力を同相単磁電機子内で消費すれば、電機子励磁磁鉄内に、誘導起電後の磁束が発生しない、従って磁気抗力も発生しない。これを利用することにより発電抗力のない発電機を具現することが出来る。電動機においては、自己誘導発電による抗力も無くせる。発電機においては従来よりも有効なエネルギーを得ることの方法が出来るようになり、駆動モータにおいてはトルクも力損の無い有効駆動力を得ることが出来る。本発明の第二の実施の形態は、電機子が同相多柱間において並列結線すると友に、異相間を開放回路の対とすることを手段としている。
【００９１】本発明の開示で有る第三の実施の形態は、駆動モータ内に発生する自己誘導発電を駆動電機子の磁束を共有し、発電電機子を構成することを手段とし、二重に励磁磁鉄にコイルを巻き、発電と駆動回路を別とする実施の形態である。
【００９２】移動子と固定子が平行移動するリニアモータに於いて、励磁磁鉄に巻かれたコイルで構成される双磁極電機子上を隙間を隔てて相対移動する磁石により、自己誘導発電で発生する磁気抗力をなくすたに有る。磁気抗力をなくすには単磁極電機子対にすれば可能である。励磁磁鉄鉄板をレール状に路床に敷き、その上に励磁磁鉄にコイルを巻き、コイル一端と他端を結線し、閉鎖回路とする単磁電機子を乗せる。短磁極電機子上隙間を隔てて磁石が移動し、単磁極電機子コイル内に、発電させ、励磁磁鉄を磁化させる。この誘導リニアモータの電機子ないコイルは電流方向が一定に流れ、発熱しないと友に、磁気抗力も発生しないで、電機子に誘導モータとしての所望の磁極を構成する。
【００９３】リニアモータの極低温超伝導電機子に電流を流し、磁極を構成する装置において、相対移動する磁極により、上記相磁極電機子に、二次的に発生する誘導電力と、この誘導起電力により発生する、磁気抗力と、発熱を無くす実施の形態として、上記双磁極電機子を単磁電機子対に変換することにより、磁気抗力と発熱を無くすことが出来る。双磁極電機子で構成するリニアモータは、相対平行移動する二体の固定子と移動子、により発生する磁極の相互作用する面の逆側の磁極が利用されず、磁気抗力の発生原因でも有ったが。逆側を励磁磁鉄で磁気接続された短磁電機子により、課題である磁気抗力と発熱を無くすことが出来る。
【００９４】リニアモータの互いに電磁総合作用する固定子と移動子の隙間の関係において、１ｍｍ程度から出来るだけ狭いほうか良いため、カーブが切れない、上下の勾配が取れない、この問題を解決する実施の形態は、カーブを切る場合は電磁相互作用を上下で行い、隙間の制約から解放し、のぼりくだりの勾配については、左右の電磁相互作用とし、上下の隙間の制約から解放する。
【００９５】本発明の開示である第四の実施の形態は、永久磁石を使用するする同期モータに於いて。一体の永久磁石内に他体の電機子による相互作用により渦電流が発生し、発熱するとともに、発生する磁束により抗力も発生する。之を防ぐ手段として、磁石の周りにコイルを巻き、回転子であれば、ロータを解して電力を取り出し、熱損を無くすと共に電力を消費することにより磁束の流れをなくし、磁力の発生を抑え力損をなくす。本発明の開示である第四の実施の形態は、磁石に単磁電機子対のコイルを巻き、発生する電力を配線により、外部に電気を取り出す事を第四の実施の形態とする。
【００９６】本発明の開示である第五の実施の形態は  誘導モータの閉鎖回路である籠の中で発生する大電流による熱損なくす方法として、閉鎖回路を開放回路とし、且つ単磁電機子対のコイルとし、電気配線はロータを介し外部に取り出し有効利用することを第五の実施の形態とする。
【００９７】本発明の開示である第六の実施の形態は  二体モータの一体と他体の両方ともコイルによる電機子で構成する直巻きモータに於いて、掃除機に使用する高速回転駆動モータは、単線直列結線の配線となっており、発熱による熱損、と友に、自己誘導発電による力損が発生し、１．５ＫＷの入力に対し５００Ｗの有効出力も得られない。オルタネーターなどの発電機に於いては、回転子を磁石にするため、外部から電機子に電力を供給するのも単線直列閉鎖回路であり、熱損・力損が発生する。これらを解決し、熱損・力損をなくす、直巻きモータの第六の実施の形態は、直巻き発電機・電機子コイルを単磁電機子対とする。且つ入力電気により磁石を形成するための発電機電機子には磁束を同じくする、励磁鉄芯に自己誘導発回収用のコイルを二重に巻き、且つ単磁電機子対とすることを手段とする。直巻き駆動モータに於いては、一体に於いて回磁界を形成するために入力するコイルと磁束を同じくする励磁磁鉄・鉄芯に自己誘導発電による電力を回収する回路として二重にコイルを巻き、且つ並列、開放回路とする。同様に他対の磁極を形成する電機子に発生する自己誘導発電による電力を回収する発電回路を、磁束を同じくする励磁磁鉄・鉄芯にコイルを巻き所望の電気回路を経て外部に取りだす。且つ発電・駆動の二重電気回路が、単磁電機子対・開放回路であることを第六の実施の形態とする。
【００９８】本発明の第七の開示である駆動モータの実施形態は、単磁電機子対開放回路の駆動モータに直流電源をブラシレスで入力する手段として、磁気センサーによる位置信号及び正回転方向で、±直流電気を入力するトランジェスターなどによるスイッチ回路が単磁電機子電極の一端とし、単磁電機子対の他端に、上記電機子回転方向が逆の回転方向信号で、逆直流電気を流すスイッチング回路を具備する、単磁電機子対同相並列異相開放回路の駆動モータ。及び本発明開示である発電機の直流出力回路の実施の形態は、自動車用のオルタネーターの直巻き回路の配線図を用いて実施する。上記オルタネーターのコイル単磁電気子対及び二重単磁電気子対で構成されており、電機子中間を切断し新たに新設した端子に全波整流のトランジェスター回路を新設するのを第七の実施の形態とする。
【００９９】本発明の第八の開示で在る実施の形態は、電機子１柱に対し磁極がＮＳ２磁極である、誘導モータ及びデジタルモータに、交番電流を送り、自己誘導発電した電力をコンデンサーで９０度位相をずらして駆動電力として利用することなく、外部に取り出し有効利用する構造として、発電要コイルを、駆動用コイルと重ねて励磁磁鉄に巻く。駆動用電力は外部より、トランジェスターなどのスイッチ回路を経て、内部に取り入れる。
【０１００】本発明の第九の開示である実施の形態は、単磁電機子対と開放回路により、利既存がなくなり、直流では高速回転するが、周波数に影響される交流モータに於いて、大口径の電機子柱と磁極が多い、大口径モータは回転が遅くなる。効率を上げるために、同相多柱の電機子で極数を減らすことにより、大口径モータの回転を上げることか出来る。
【０１０１】本発明の開示である第十の実施の形態は、二重単磁電機子対で効率が５倍、或いは、永久磁石にコイルを巻き、効率を１０倍とすることは出来るが、原子力には至らない、上記モータを多段にする。
【０１０２】
【実施例】
【０１０３】実施例の第一はまず直列閉鎖回路に於ける発熱の原因を図１に於いて交流発電の二相の相互作用として  説明する。図１は三相及び二相相互作用の電源の電圧と位相の関係グラフ図です。縦方向が電圧であり横方向が発電の磁石とコイルの相対位置を示す位相を図示したものである。位相の違う二相の電力は互いに電圧がプラスマイナスし一相分が  消滅し、二相の中間の位相位置に新たな一相が形成される。この消滅した一相分の電力が直列閉鎖回路の発熱する熱損の原因である。【０１０４】上記発熱の原因をなくし発電する方法を図２において説明する。図２は模式図である。絶縁皮膜された鉄板の合板で形成された励磁磁鉄１に絶縁皮膜された良伝導体線コイル２として巻かれ、電機子の一端と他端に隙間をへて、磁極ＮＳが交番すると、電機子コイル一端Ａと他端Ｂに電流＋Ｕと−Ｕが発生する。この二相にそれぞれ電気器具をつなぎ電気器具他端をアースとして繋ぎ消費する。このコイル中間では、発生した電気±Ｕ相の逆相が短絡結合し発熱する。これを防ぎ、電力を有効に使うには、コイル電線中間を切断し新たな電極ＣとＤを形成し、新たな電気の相、逆＋Ｕ相と逆−Ｕを形成する。このそれぞれの新たな電極に電気器具を接続し、それぞれの電気回路端をアースとする。【０１０５】実施例の第二は、多相電動機の発電抗力と駆動抗を示す実施例１として、図３を用いて説明する。図は模式図である。３相交流発電機として説明する。絶縁皮膜された鉄板の合板で形成された励磁磁鉄がドーナツ状円盤１に形成され、内側に突起する柱が相数倍在る、それぞれの柱に良伝導体線が巻かれ、電機子を形成している。このコイル一端は出力電極ＵＶＷを形成している、従来のモータはそれコイル他端をスター回路かデルター回路として、短絡結線した閉鎖回路を形成している。之により熱損、力損が発生する。本発明は、それぞれの他端を短絡閉鎖回路として形成すことなく、解放し、逆相−Ｕ−Ｖ−Ｗとして新たな電極を形成している。それぞれの逆相には電気器具が接続され、電機気具他端はアースに接続されている。アースが異相間の中間であっても良い。【０１０６】実施例の第二の同相・多極における熱損・力損は、図４を用いて説明する。図は模式図である。絶縁皮膜した鉄板の合板で構成された励磁磁鉄１の少なくとも一つの柱に絶縁皮膜した良伝導体線２が巻かれ、電機子を形成する。励磁磁鉄１の柱の端に隙間を隔ててＮ，Ｓ磁極が交番するモータの図である。図４は同じ相のみ描かれているが、実施は何相でもよい。相が同じで多極である従来のモータの結線は、単線が連続して直列につながれ、線の両端Ａ，Ｂが相の電極となる。このためコイル内部での逆相の電力が短絡ショートし発熱し、且つ磁束により抗力が発生する。本発明はそれぞれの同磁極柱間の電気配線を切断し新たな電極Ｃ，Ｄを新設し、極数分の±電極を新設するモータである。これらの結線は直列結線されることなく、同相・並列結線される。【０１０７】実施例の第一の直流モータ開放回路の回転子は図５を用いて説明する。図は模式図で在る。回転子の軸が同軸で、電機子の両端に整流子が具備され、単磁電機子電極が、両端の位相を同じくする整流子に結線され、ブラシを経てモータ外部に端子が取り出���れている。之により位相の異なる電機子と直列閉鎖回路を形成することなく、開放回路で、の結線が可能である。【０１０８】図６は発電機の整流の図で在る。図はトランジェスターの全波整流素子を用い、単磁電機子対をそれぞれ独立回路として構成できる。【０１０９】図７は三相単磁電気子対のブラシレス、正・逆電流コントローラの図である。単磁電気子対のブラシレスコントローラーは電機子と磁石の位相を知らせる位置センサーによる電気をパイロット電源とし、トランジェスターに供給し、主電力を流す。この際にプラス側のトランジェスターはアースしていないために、パイロット電源が流れなく。之を解決するために、前回使用した電気の遮断する時の電気をコンデンサーにため、之と短絡させ、パイロット回路に電気を流させる、且つ単磁電機子対の一端と他端は極性が±する為、位置センサーを正回転と逆回転の二系統とし、単磁電機子・端子の一端と他端に使用する。【０１１０】実施例の第三の二重コイルは図７、８に於いて説明する。図は単磁電機子対での説明模式図である。従来の駆動モータに磁束を同じくする励磁磁鉄に、駆動モータコイルとは独立した発電コイルを巻くことで、発電電力を、取り出せる。単磁電気子対のモータは駆動モータ用コイルも、発電用コイルも、同相多柱間の結線は並列結線であり、位相間結線は開放回路である。【０１１１】実施例の第四の同期モータ磁石内の誘導電流である渦電流をとりだすのは図９、１０により説明する図はモータの回転軸から眺める、断面図である。がアウターロータに取り付けた磁石が電機子を横切り電機子励磁磁鉄に着磁するとその磁気の磁束が、永久磁石に通り、磁束の周りに電流が発生する。永久磁石に巻かれたコイルがこの電力を、有効電力として取り出す。【０１１２】実施例の第五である、誘導モータ回転子の籠での閉鎖回路を開放し、誘導電流により発生する電気を取り出す方法は図１０より説明する。固定子の電機子に通電し磁極を形成することにより、回転子電機しに磁束が流れ、着磁する。次に固定子に９０度位相のずれた回転磁界を与えると、回転子が回転する。この際に回転子着磁の祭の電流を電機子コイルより取り出し有効利用する。【０１１３】実施例の第六である、永久磁石を使わない直巻きモータは図１０を用いて説明する。実施例の第五の誘導モータのコイルを二重コイルとする。之により駆動回路に、駆動電源を入力し、永久磁石の無い直捲き駆動モータが形成され、二体モータそれぞれで発生る電力を発電用コイルから取り出し有効利用する。【０１１４】実施例の第七である、直巻きモータの直流発電の電気回路を、図１２を用いて示す。発電回路で発生する電気は全波整流器で整流され、レギュレターにより過電流を電圧で制御され、電池に逐電される。回転子磁極電機子は起動時に電池より通電し、自己誘導発電が電池電圧より高くなるとレギュレターのスイッチ作用により、電池の電源から切り替わる。回転子の二重コイル内での発電はレギュレターを経て逐電される。【０１１５】実施例の第八である、一相二磁極の単磁電気子対・二重コイル電機子の発電駆動モータは図１３を用いて説明する。図はロータに永久磁石を使用し、電機子に交流三相電源を供給するデジタルモータの図で��る。永久磁石が誘導電源で励磁されるコイルであっても良い。従来の三相四極の誘導モータ及びデジタルモータの駆動電源の半分を９０度位相のずれた自己誘導発電電力をコンデンサーで駆動電源にするのを、自己誘導発電はすべて発電用コイルから外部に取り出し、有効利用する。単磁電機子対の駆動電源の入力は±三相の６相電源を外部より供給する。【０１１６】実施例の第九である高速回転大口径モータは図示しないが、一体の磁極と他対の電機子が柱は多柱であっても、単磁極として、柱を束ねる。【０１１７】実施例の第十である多段モータは図示しないが、一段目で駆動・発電した交流電源を二段目の駆動電源として結線し、二段目より駆動・発電出力を得る、多段モータ。【０１１８】  ［発明の効果］【０１１９】  ［神について］【０１２０】神と人の存在：虚空に浮かぶ  有るは  在るとも言え  無いとも言え  意味を成さない  等しく分裂し  始めて他を見て我を知る  我は宇宙と等価なり。和して神を讃えん。【０１２１】  ［従来の神］【０１２２】従来の神は、神に対する科学としての合理性が無い。神は一つであるとする教議は現代の世界では通用しない、独善的にして、他神を排除する殺人者の教えである。多神教は自然の神が衰退し、偶像崇拝として、合理性が薄れ、知性を疑われる。無神論者は、人を生きる価値を知らない無能奴隷・獣と同一次元化する  低次元重力場の教議である。【０１２３】  ［宇宙に於ける神］【０１２４】太陽は神である、はどなたも依存の無いところである。神は爆発しているものである。神は爆発している太陽である。神は銀河中心で爆発しているものである。神は銀河団・泡宇宙の中心で爆発しているものである。神は宇宙の中心で爆発しているものである。物質はこの四つ全ての爆発空間を経て現存している。物質はこの四つ全ての爆発エネルギーを四つの力として保存している。物質は爆発して出来た一素粒子の和である。神は四神である人は和して神を表現する生きた存在である。【０１２５】本発明の第一の効果は図１・図２を用いて説明する。図１は二相の交流電源を縦軸±の電圧を示し、横軸が時間と位相を現し、中心線が電圧の零圧を図示したものである。ＵＶ二相の位相が三分の一ずれて配電されている。この二相の間に仕別事をさせると、二相の短絡相互作用がプラスマイナスした後の逆相で表示している。ＵＶ２相の波形が１相の−Ｗ相波形となり、１相分がプラスマイナス短絡し無駄に消費されることが分る。次に図２を用いてＵＶこの二相の閉鎖回路を双磁コイル中間の短絡部分で切断し、Ｕ相Ｖ相それぞれ独立させ二回線の単磁コイル電機子対とし、新たな入出力回線とすれば、入出力電源をそれぞれプラスマイナス電源とすることが可能。閉鎖回路で短絡し熱損で浪費することのない、新たな発電電力獲て１００％有効電力利用することが出来た。実測値として直流安定化電源のモータへの出力が１５Ｖ×５Ａ＝７５Ｗにて、コントローラにＮ・Ｓ二磁極用単磁電機子対の２台のコントローラに２回線ずつの平列結線回路を測定すると。電圧は１４Ｖ、電流はプラス側は４Ａ×２回線とマイナス側は２２Ａ×二回線であった。発熱はモータでは発熱しない。コントローラの回磁界用・分配電流スイッチ素子のトランジェスターが発熱する���電流が入力電流の倍の自己誘導発電が発生し駆動モータ無いでは短絡せず、トランジェスター内で発熱している。モータの性能としては熱損力損の無い高トルク高速回転モータの効果が在る。【０１２６】本発明の第二の効果は、図３を用いて説明する。上記発明の効果で明らかになったように、磁極の違う単磁極電機子ＵＶＷ同士の結線が従来のスター回路やデルタ回路のように短絡閉鎖回路を形成することなく開放し新たな逆相電極を形成し、新たな電極とアース間で電気器具により電力を消費すると、従来の発電により誘導される二次的な磁束と磁力が発電抗力となる。発電エネルギーが、本発明では単磁極電機子対内のそれぞれの単磁電機子内で電力消化され、異磁極間に磁束が流れなくなる。これにより、磁気による発電抗力が、発生しない。発電抗力の無いモータが具現した。【０１２７】発明の第二の発電抗力をなくす効果は図４を用いて行う。図４は模式図である。電機子巻き線の磁極性を同じくする、単磁極電機子の結線が従来では、直列に結線して在る。これにより同じ極の電機子に発生する電気により、二次的に発生する磁束は、異磁極性の単磁極電機子に逆流し結果、二次的な磁束を発生させ、発電抗力の元となる。本発明はこの単磁極同士の直列結線を解放し、新たな二電極とし、このそれぞれの電極と電気器具を良電導線の一方で繋ぎ、他方をアースとする。これによりそれぞれの単磁極電機子内で発生する電気は単磁極電機子内で消化され、二次的な磁束は発生しない、これにより発電抗力の発生をなくし、発電抗力の無いモータが具現した。第一の効果としては、発生した電気は電気器具を通じてそれぞれの逆相に流れるため電圧は倍加する。第二の効果としては、双磁極電機子を単磁極電機子対に変換すると発電抗力が無くなり、入力エネルギーが同じであれば、回転とトルクの積は同じですから回転は極数分上がる。電圧が極数分倍加する。電流の同一モータ総量としては変化しないため、発電機発生エネルギーは極数分倍加する。総じて誘導起電力による磁気抵抗のない常温超伝導モータと呼べる発電機を具現したと  いえる。【０１２８】発明の第三の効果は図５、図６、図８にて行う。単磁極電機子対で構成される電動モータ内の交流電気を、少なくとも一つの単磁極電機子対の電極±一端と±他端に整流子を構成することにより、単磁極電機子対内いで発電する交流電気を直流電機に取り出すことが可能。少なくとも一つの単磁極電機子に半導体群で構成する全波整流器を繋げば、単磁電機子群の交流電気を直流電気に変換が可能となった。図８に於いて、電動モータに駆動電流を流し、回転が上がると友に、自己誘導発電が発生する。この電流は駆動電流に対し逆流のため、上記整流子を具備しても、整流以前に、駆動電流と短絡発熱し、発電抗力も発生し、熱損力損となる。駆動電源を入力しないときに、ブレーキとしての回生電気として取り出すことは可能ですが、発電の一部でしかない。コイルを単磁電機子対にすると、駆動電源としての熱損・力損がなくなるが、自己誘導発電についての熱損・力損は取れない。この駆動用単磁電機子対コイルに励磁磁鉄を同じくしつつ発電用コイルを二重に重ねて巻き自己誘導発電回路と駆動回路を別回路とする。之により、同じ磁束内の���己誘導発電は１００％有効電源として取り出せることが可能となり併せて、単磁電気子対のコイルとすることにより発電抗力も無くなり、熱損力損をなくす効果が在る。併せて、回転が上がっても駆動トルクが減らない効果が在る。併せて、自己誘導発電による抗力を少なくすると、より高速回転が可能となリ駆動モータ・及び発電の出力を増加させる効果が在る。【０１２９】本発明のリニアモーターにおける効果は、短磁極電機子対を使えば、従来の双磁極電機子による入力エネルギーの半分を発熱させている熱損をなくし、極。低温超伝導コイル内に起こる自己誘導発電に因るを発熱するエネルギーをなくし、同時に発生する磁気効力による力損をなくし、熱損、力損の無い、リニアモータを具現する【０１３０】本発明のリニア駆動モータの効果は発熱と力損を単磁電機子対で構成することにより、なくす効果があり、スピードも倍加することが可能となった。またリニアモータ発電機を単磁電機子対にすることにより、発電抗力も無くなり、エネルギー損もなくなる効果がある。【０１３１】本発明リニアモータの断面形状全周上で電磁相互作用することにより、カーブの時は上下のモータを使い、上り下りの勾配のときは左右のモータを使うことにより、カーブも上下も容易に移動可能となる。【０１３２】本発明の第四の同期モータにおける効果は図９を用いて説明する。永久磁石の周りに良伝導体コイルを巻き、磁石内の自己誘導発電による、渦電流をコイル内に取り込みモータ外部に有効電流として取り出すことが可能となった。その上で磁石内に於いて二次的に発生する、熱も無くす効果が在る。またこの誘導発電による抗力もなくなるため、モータのより高速・高トルク回転が可能となった。【０１３３】本発明の第五の効果である誘導モータの籠内に誘導電流により発生するは自己誘導電流を取り出すには図１０を用いて説明する。図１０は誘導モータを軸方向から眺めた断面図である。外側の固定子励磁磁鉄に巻かれたコイルに電流を流し，回転子に誘導磁気を持たせ、外側のコイルに９０度位相のずれた回転磁界用電流を流し、回転磁界を誘導発生させる。従来では回転子籠コイルが閉鎖回路となっているため、籠内で誘導発生した電流が短絡ショートし、熱損・力損が発生していた。本発明は、回転子かごの閉鎖回廊を開放し、単磁電機市対コイルとし、コイル内にモータ二体間の差速により発生する電力を、配電用ロータを介し、モータ外部に取り出し、有効電力として開放する効果が在る。この際に上記電力を制御し使用することにより、回転子は制御された磁気を得る。之により回転子の熱損が無くなる効果が在る。また従来の双磁極電機子による熱損、力損を単磁電機子とすることに於いて、直列結線に因る短絡ショートを無くす効果が在る。外側誘導電流にコンデンサーを解して９０度位相のずれた回転磁界用電力を得る従来のコンデンサーモータ・或いはデジタルモータは誘導電力と入力電流が短絡発熱し熱損となる。本発明の二重単磁電機子対では回磁界を外部から入力すると同時に、自己誘導発電電力は、外部に取り出し、短絡発熱を防ぎ、有効電力として利用できる効果が在る。【０１３４】本発明直巻きモータの第の六効果は図１１オルタネーター断面図、図１２を用いて説明���る。図１１は、本発明の磁石を使用せず、且つ誘導電流により磁気を発生させる閉鎖回路の籠を使用せず、回転子も電機子も外部に電源を出し入れ出来る、回転子も固定子も電機子で構成される、直巻きモータをオルタネーターの断面図として表す。直巻き電機子コイルを同相並列・異相開放回路とする単磁電機子対直巻きモータにすることにより電機子間直流結線で発生する、熱損・力損をなくす効果が在る。また単磁電機子対コイルを発電と駆動と電気回路を二重コイル単磁電機子とすることにより、発電と駆動との電気がコイル内ショートを起こし熱損・力損を起こすことなく、駆動トルクと発電電力を有効利用することが可能となった。図１２は、オルタネーター発電機の回転子が二相一柱の磁極を指状に広げＮ・Ｓ二磁極を組み合わせる電機子で力率改善するモータを、二重単磁電機子対で構成したときの回路図であるで。発電する固定子電気子は単磁電機子対で在る。このオルタネーター電機子コイルを発電と駆動の二重コイル電機子にすると、発電・駆動モータとすることが出来る。【０１３５】本発明の第７の効果は図７を用いて説明する。図は三相モータ回転軸方向から眺めた横断面図模式図と回路図である。回路図は駆動電源回路と誘導発電回路の二重単磁電気子対である。駆動電源回路の単磁電機子対のコイル一端に回転制御回路よりの入力電源のプラス側が接続され、他端にマイナス側が接続される。之による効果は、単磁電機子対に拠る、熱損力損をなくす効果が在ると友に、単位電機子の電圧が倍化する効果が在る。加えて、両端から電流の入力が可能のため、電流も倍入力できる効果がある。小型高トルク、高回転モータが可能となった。次に二重電機子対の効果を、図１２を用いて説明する。図は二重単磁電機子対モータの自己誘導発電電力が全波整流回路を経てバッテリーに充電される。図は直巻きモータであり、回転子の着磁側のコイルはレギュレタを経由し、過充電を防ぐために電圧制御されている。図１２は二重電機子対オルタネーターでも在る。之により熱損・力損を防ぐ、直流発電駆動回路が可能となった。【０１３６】本発明の第八の効果は図１３図を用いて説明する。図は誘導モータ、デジタルモータの単位電機子一柱に対し、二磁極のモータである。従来のこのモータは駆動電力より９０度位相のずれた自己誘導発電の一部がコンデンサーを用い、回磁界を得る駆動電源として供給するものである。このため自己誘導発電と駆動入力電源とが激しく短絡し、発熱熱損・力損が発生し、入力の７割方損失する。二重単磁電気子対は、自己誘導発電を発電用コイルより外部に取り出し、有効電力として利用できる効果が在る。回磁界を得る電力は所望の制御駆動回路を得て供給することが可能のため、熱損力損をなくす効果が在る。トルクも増え、回転数も上がる  効果がある。【０１３７】本発明に第九の効果は大口径モータが相単位電機子柱の数が増えるため、同周波数で回転が小口径小単位電機子に比べ、回転が少なくなる。之を防ぐ、隣り合った電機子を同相束の柱として、それぞれを並列回路として結線し、極数を減らし、回転をあげる効果が在る。また磁気センサーにより束の電機子の端の電機子より、磁極を回転方向に順時電流方向を変えることにより、磁極数を減��し高速回転を得る効果が在る。【０１３８】本発明の第十は一台のモータでは、効率を上げるのに一桁程度であり、到底原子力発電は及ばない。これを多段にすることにより、小電力の入力で、四段程度で原子力発電に匹敵する電力を得ることが可能となった。【０１３９】  ［同期発電駆動モータによる実施例と効果］【０１４０】同期発電駆動モータによる実施例と効果を  図１４を用いて説明する。図はミツバ製の三相同期モータ組み立てキットを、ＣＱ出版が組み立て講習と友に、販売している。之を±三相・単磁電機子対、二重コイル発電・駆動モータに組み立てたものである。ミツバの説明では、入力最大３ＫＷで回転数最高９００回転と在る。之を発電駆動に組み立てると、最大入力２ＫＷで回転数は１０万回転となる。図１４は発電駆動モータをテクノフロンテア２０１４の展示会に出展した時の交流入力最大６００Ｗ・直流安定化電源３００Ｗ出力時の電源にての性能表である。出力は駆動力として扇風機を駆動させながら。５ＷのＬＥＤ電球２１６球１０８０Ｗを発電出力させようとするものである。回転数６５００交流電圧±３３Ｖ電流一相±２．５Ａで６相１５Ａ出力電力９９０Ｗ
【図面の簡単な説明】
【０１４１】
【図１】図１は三相交流のＵ、Ｖ、Ｗのうちの二相の相互作用を表わすものであり、縦方向がプラスマイナスの電圧であり  横方向が周波数とコイルと磁石の位相のずれを顕わすグラフである。Ｕ、Ｖ二相の相互作用により−Ｗ相とＷ相の逆相が１相合成され、他の一相分は熱損として浪費される。
【図２】図２はソレノイドコイル電機子をあらわす模式図である。１は絶縁皮膜された鉄板の合板で構成された励磁磁鉄。２は励磁磁鉄柱に巻かれた絶縁皮膜された良電導体コイル。
【図３】図３はモータの電機子の模式図。点線で表されている１は、絶縁皮膜された板の合板で構成された励磁磁鉄。
【図４】図４は模式図。モータ電機子とＮＳ磁石の模式図。電機子は同磁極単磁電機子の並列回路を切断し単磁極電機子電極端子を極数分増やしたものである。
【図５】図５は模式図。単磁極電機子対電動モータ回転子軸両端に整流子を具備したものである。
【図６】図６は模式図。単磁極電機子の２端子に複数の半導体に因る全波整流器を接続したもの
【図７】図７は単磁電機子対で構成するの直流ブラシレス駆動モータの電気回路図
【図８】図８は発電と駆動の二重コイルとＮとＳの磁極の単磁電機子対モータの模式図。
【図９】図９は永久磁石の柱にコイルを巻き、アウターロータ内側に装着した胴切りの断面図である。
【図１０】図１０は誘導モータ回転子籠を単磁電気子対とする、モータの断面図である
【図１１】図１１はオルタネータ断面図
【図１２】図１２はオルタネーター電気回路図である
【図１３】図１３は一柱ＩＩ磁極のデジタルモータ、誘導モータの二重単磁電機子対モータの断面図である。
【図１４】図１４は二重単磁電気対同期モータの実測グラフ図である。
【符号の説明】
【０１４２】１）              励磁磁鉄２）              コイル３）              寄生ダイオウド・整流子４）              磁石５）              ロータ６）              ＦＥＴトランジェスター７）              ホール素子・信号入力線８）              発電コイル９）              回生発電回路１０）            駆動電流回路１１）            回生コンデンサー１２）            発電・駆動・二重コイル電機子対１３）            ブラシＮ                磁極Ｓ                磁極Ａ，Ｂ，Ｃ，Ｄ    電機子各端子±Ｕ，±Ｖ，±Ｗ  交流電気各相
【図１】
2015173969.tif 000003
【図２】
2015173969.tif 000004
【図３】
2015173969.tif 000005
【図４】
2015173969.tif 000006
【図５】
2015173969.tif 000007
【図６】
2015173969.tif 000008
【図７】
2015173969.tif 000009
【図８】
2015173969.tif 000010
【図９】
2015173969.tif 000011
【図１０】
2015173969.tif 000012
【図１１】
2015173969.tif 000013
【図１２】
2015173969.tif 000014
【図１３】
2015173969.tif 000015
【図１４】
2015173969.tif 000016
【手続補正書】
【提出日】平成26年8月19日(2014.8.19)
【手続補正１】
【補正対象書類名】特許請求の範囲
【補正対象項目名】全文
【補正方法】変更
【補正の内容】
【特許請求の範囲】
【請求項１】
［第一の段階］電気絶縁皮膜した励磁磁鉄に、電気絶縁皮膜した良電導体線をコイルとして巻き、上記良電導体線コイルの一端と他端を電極とするソレノイドコイルを少なくとも一体を構築する。ソレノイドコイルの励磁磁鉄両端に隙間を隔ててソレノイドコイルと磁石を一体と他体として置き、双磁極Ｎ・Ｓを交互に相対移動させ、発生する交番磁界による磁束を、ソレノイドコイル励磁磁鉄内に交互に交番磁束として流させる。この二体間の電磁気力相互作用によりソレノイドコイル両端電極に交番電流を発生させる発電機の電機子において、コイル中間を切断し、新たな二つの電極を構成し、この電極間の電力で仕事をさせる単磁極電機子対。少なくとも一つの電機子コイルが双磁極Ｎ・Ｓに直列で跨る双磁極電機子に対し、Ｎ・Ｓそれぞれの磁極の±２相の４電極端子を具備する、単磁極電機子コイルの対で形成する単磁極電機子対・異相開放回路・発電機。
［第二の段階］上記少なくとも一つの単磁極電機子対で構成する電動モータに於いて、固定子と回転子から成る上記二体モータの回転面・円周上に連なる、同相の電機子コイル柱群の電線の結線が同相間並列結線である単磁電機子対電動モータ。及び上記少なくとも一つの単磁極電機子対の同相コイルを並列に結線する単磁極電機子対・同相並列・異相開放回路・発電・駆動・電動モータ。
［第三の段階］駆動モータ電機子の同磁極・同磁束の流れる・励磁磁鉄を共有し、発電用コイルを駆動用コイルに重ねて二重に巻き駆動・発電・入力・出力させる方法。及び同じ励磁磁鉄上に重ねて発電用コイルと駆動用コイルを二重に巻いた、二重コイル・単磁電気子対・同相並列・異相開放回路の発電・駆動モータ。
［第四の段階］第二段階での二体・発電・駆動モータの一体が電機子で他体が永久磁石である、少なくとも一つの永久磁石の周りにコイルを巻きコイルが第一段階の単磁電機子対・異相開放回路で構成され、永久磁石内・自己誘導発電・電気をモータ外部に取り出す配線機構を具備した、且つ第一段階の単磁電機子対・同相並列・異相開放で構成される、二体・単磁電機子対・同相並列・異相開放回路の発電・駆動・同期モータ。
［第五段階］同期モータの二体・単磁電機子対・同相並列・異相開放回路の・発電・駆動モータの永久磁石に代わりに第一段階・鉄心にコイルを巻いた電機子を、誘導発電磁極・電機子とする、二体・単磁電気子対・同相並列・異相開放回路の発電・駆動・誘導モータ。及び第二段階・誘導発電磁極・電機子より誘導発電した電気を、ロータを介して外部に取り出す配線機構を具備した発電・駆動・誘導モータ。
［第六段階］誘導モータの二体・単磁電機子対・同相並列・異相開放回路の発電・駆動・誘導モータ誘導電気に拠る磁極の形成の変わりに、コイルの直巻きモータ・電機子に直接駆動電力を入力し、磁極を形成する、単磁電機子対・同相並列・異相開放回路の電機子とする、二体・単磁電機子対・同相並列・異相開放回路の発電・駆動・直巻きモータ。
［第七段階］直流ブラシレス電動機・電機子に直流電源よりコントローラを得て回磁界を得、分電をする電機子と友に、新たに電機子中間に新設した単磁電機子対端子に逆方向直流電源をブラシレスで入力する電気回路を具備するブラシレス、単磁電気子対駆動モータ。及び駆動モータ電機子の上に新たに発電用・単磁電気子対のコイルを巻いた発電機端子に直流を出力する整流回路を具備する、単磁電気子対直流・入・出力電源・駆動・発電・モータ。及び制御回路。
【国際調査報告】
2015173969.tif 000017
2015173969.tif 000018
2015173969.tif 000019
2015173969.tif 000020